(57)【要約】  水平方向のオープンスペースの欠乏によって制限されることなく、鉛直方向のみならず水平方向に拡張可能なモジュラーの垂直ガーデンシステムを提供する。  本発明に係る拡張性がある垂直ガーデンシステムは、フレームと、単数又は複数の点滴潅漑パイプと、単数又は複数の排水パイプと、ドレン・トレイと、オプションとして複数のポット又は複数の植物コンテナと備えている。拡張性がある垂直ガーデンのフレームは、［ｉ］支持壁／フレームワーク内にねじ込まれるネジを挿入するための複数の孔（１）と、［ｉｉ］ポットをスナップイン及びスナップアウト可能な空洞（２）と、［ｉｉｉ］良好な支えを得るためのポットのための各空洞内の複数の支持スナブ（３）と、［ｉｖ］水平方向潅漑パイプを保持するためのクリップがその中に固定可能な各空洞の上方にある複数の小さな孔（４）と、［ｖ］ドレン・トレイ（７）を挿入するためのフレームの底の１つの大きな孔（５）と、［ｖｉ］排水パイプ（６）が固定可能な各フレームの後側の空洞とを有している。
2016518120.tif 000002
【特許請求の範囲】
【請求項１】
［ａ］フレームと、
［ｂ］単数又は複数の点滴潅漑パイプと、
［ｃ］単数又は複数の排水パイプと、
［ｄ］ドレン・トレイと、さらにオプションとして
［ｅ］複数のポット又は植物コンテナとを備え、
前記フレームは、
［ｉ］支持壁／フレームワークにねじ込まれるネジを挿入するための複数の孔（１）と、
［ｉｉ］複数のポットがスナップイン及びスナップアウトができる空洞（２）と、
［ｉｉｉ］前記複数のポットが良好な係留を得るための各空洞における支持スナブ（３）と、
［ｉｖ］水平方向灌漑パイプを保持するためのクリップが内部に固定可能な、各空洞の上方にある小さな複数の孔（４）と、
［ｖ］前記フレームの底において前記ドレン・トレイ（７）を挿入するための１つの大きな孔（５）と、
［ｖｉ］前記排水パイプ（６）が固定可能な、各フレームの後側にある空洞と、
を備えた、拡張性がある垂直ガーデンシステム。
【請求項２】
前記排水パイプ（６）は、接合コネクタ（８）を用いて、前記ドレン・トレイ（７）に接続されている、請求項１に記載の拡張性がある垂直ガーデンシステム。
【請求項３】
前記接合コネクタは「Ｔ」又は「Ｌ」形状の接合コネクタである、請求項１に記載の拡張性がある垂直ガーデンシステム。
【請求項４】
前記ドレン・トレイ（７）は３個に１個のポットに固定されている、請求項１〜３のいずれかに記載の拡張性がある垂直ガーデンシステム。
【請求項５】
前記フレームは、オプションとして、複数のクリップが前記垂直灌漑パイプを支持するために固定可能である、側方垂直サポートを有している、請求項１〜４のいずれかに記載の拡張性がある垂直ガーデンシステム。
【請求項６】
前記フレームは、互いに並んで及び／又は一つが他の頂部に固定可能である、請求項１〜５のいずれかに記載の拡張性がある垂直ガーデンシステム。
【請求項７】
前記システムはさらに単数又は複数の点滴潅漑ライン（９）を有している、請求項１〜６のいずれかに記載の拡張性がある垂直ガーデンシステム。
【請求項８】
各ポット又は植物コンテナは、ポットごとに水の供給を規制するための点滴潅漑ライン（９）を有している、請求項１〜７のいずれかに記載の拡張性がある垂直ガーデンシステム。
【請求項９】
前記潅漑ラインは、自動及び／又は手動システムによって規制可能である、請求項１〜８のいずれかに記載の拡張性がある垂直ガーデンシステム。
【請求項１０】
前記フレームは、
［ｉ］支持壁／フレームワーク内にねじ込まれるネジのための４つの孔（１）と、
［ｉｉ］前記複数のポット又は植物コンテナがスナップイン及びスナップアウト可能な３つの大きな空洞（２）と、
［ｉｉｉ］係留を得るために、前記複数のポットための空洞内での４つの支持スナブと、
［ｉｖ］前記水平方向潅漑パイプを保持するためのクリップをその中で保持可能な２つの小さな孔（４）と、
［ｖ］前記ドレン・トレイ（７）を挿入するための１つの大きな孔（５）と、
［ｖｉ］前記排水パイプ（６）が固定可能な各フレームの後側の空洞、請求項１〜９のいずれかに記載の拡張性がある垂直ガーデンシステム。
【請求項１１】
前記システムは鉛直方向に及び／又は水平方向に拡張可能である、請求項１〜１０のいずれかに記載の拡張性がある垂直ガーデンシステム。
【請求項１２】
請求項１〜１１のいずれかに記載の前記垂直ガーデンシステムを備えたプランテーションの方法。
【発明の詳細な説明】
【技術分野】
【０００１】
本発明は、モジュラー形式の垂直ガーデニングシステムに関する。垂直ガーデンシステムは、鉛直方向のみならず、水平方向に拡張可能である。本発明の垂直ガーデンシステムは、排水システムを提供し、そこでは水は特定の又は規則的な距離間隔ごとに排出される。本発明は、さらに垂直ガーデンシステムを提供し、そこではポットごとの水供給が植物ごとの要求に規制可能である。本発明の垂直ガーデンシステムは、フレームと、単数又は複数の点滴潅漑パイプと、単数又は複数の排水パイプと、ドレン・トレイと、オプションとして複数のポット又は植物コンテナとを備えている。
【背景技術】
【０００２】
今日では、都会の街における水平方向のオープンスペースは、緑樹の範囲がほとんど残されていない土地における圧力によって、縮小されている。さらに、汚染のレベルが高くなることによって、環境空気清浄機として働く緑樹及び植物が急務となっている。したがって、唯一の解決策が垂直ガーデニングになる。垂直なガーデンを所定の垂直面に設置する様々な方法がある。最も通常よくあるのは、１６又は１２の空洞を有するモジュールであり、ジオテクスタイル／ポリアミド／フェルト（Ｇｅｏｔｅｘｔｉｌｅ／Ｐｏｌｙａｍｉｄｅ／Ｆｅｌｔ）係留システムである。
様々なプランターシステム及び垂直ガーデンシステムは当該技術で知られている。例えば、ＵＳ８，１４１，２９４Ｂ２は、生きている植物を垂直な表面に支持するプランターシステム及び方法を提供している。
【０００３】
ＵＳ７，５１６，５７４Ｂ２は、互いの頂部に積み重ねられた欄外のプランター・ポート・カートリッジユニットを有する垂直ガーデン・プランターを開示している。プランターのポートユニットは、斜めに配置された先端が断ち切られたシリンダの配列を有する中心シリンダを有している。中心シリンダは、頂部が切断されており、それにより各プランターのポートの端に最大限の水流れが可能となる水平方向の頂部縁が実現される。これに加え、いくつかの垂直ガーデン・プランターは、ＵＳ４，４１９，８４３に示すように、余分なスプリンクラー供給を垂直なガーデンの頂部に必要とし、これは不要な可動部分を追加する。
ＥＰ２３３５４７３Ａ１は、壁の垂直なガーデンを創り出すためのシステムに向けられている。このシステムは、壁に離れるように定められた複数の支柱と、２つの支柱の間にぶら下がっている挿し器ユニットとを有している。
【０００４】
ほとんどの垂直ガーデンシステムでは、１つのモジュールからの水は、下側にあるモジュールなどに排出される。このようにして最も低いモジュールは、上側のモジュールすべてから水を受けることになり、したがって高い水飽和によって植物がダメージを受けて腐る確率が高い。
先行技術の垂直ガーデンシステムでは、水供給は、植物のゾーンに対して行われ、個々の植物に対してではない。個々の植物は、健康的な成長のための水の要求は異なっている。ほとんどの垂直ガーデンシステムでは、灌漑ライン上に複数のドリッパーを有しており、それらはモジュール又は与えられたゾーンにある１以上の植物に供給を行う。このように、個々の植物に対して個別に水供給を規制することができない。したがって、以下に述べるような垂直ガーデンシステムのための技術への必要性がある。個々の植物各々が個別に水を供給され、それにより異なる水要求の植物の組合せが成長可能であり、そのためユーザは己の想像そのものである植栽デザインを自由に創造できる。以上より、水飽和問題を解消しかつ好ましくかつ規制された水供給を個々全ての植物に行うことができる垂直ガーデンシステムを提供する必要性がある。
【０００５】
現在利用可能な垂直ガーデンシステムでは、水が規則的な間隔で止められ個々別々に排出されることができる統合された排水システムがない。このようにして、水は重力によって頂部から下方に流れ、それが下方ゾーンに飽和を生じさせ、それらの領域内への水のやり過ぎによって植物が死にやすくなっており、それらの根が腐敗し、感染が全体の生物的壁に広がり、すべての植物を不健康にする。本発明は、ドレン水は様々な間隔で収集可能であり、したがって余分な水の収集を原因とする飽和要素が排除可能である垂直ガーデンシステムを提供する。
現在利用可能な垂直ガーデンシステムでは、個々に植物をゾーンから取り除いて置き換えることができない。置き換えは、死亡率の変更又は単に設計変更のためである。本発明の垂直ガーデンシステムでは、植物の置き換え／除去は大変に容易である。なぜならいずれの個々の植物が取り除き可能であり、しかも新しい所望の植物と置き換え可能だからである。
【０００６】
本発明の垂直ガーデンシステムはこれらの問題を解消する。本発明は、鉛直方向のみならず水平方向に拡張性があるモジュラー垂直ガーデンシステムを提供する。本発明の垂直ガーデンシステムを採用することによって、植物、ハーブ、薬用植物、野菜、フルーツ、花などの選択を広い範囲で用いることによって敷地で利用可能な光の条件次第によって、魅惑的なパターンを創造できる。本発明の垂直ガーデンシステムは水飽和を避け、規則的な水供給を個々全ての植物に提供する。
【発明の概要】
【発明が解決しようとする課題】
【０００７】
本発明の主な目的は、水平方向のオープンスペースの欠乏によって制限されることなく、鉛直方向のみならず水平方向に拡張可能なモジュラー形式の垂直ガーデンシステムを提供することである。
本発明の他の目的は、植物の要求ごとに各植物に規則的に水供給を提供する垂直ガーデンシステムを提供することである。
【０００８】
本発明の他の目的は、具体的な／規則的な距離間隔で排出されそれにより水飽和及び植物の腐敗を防止できる排水システムを提供する垂直ガーデンシステムを提供することである。
本発明のさらに他の目的は、植物の置き換え／除去が大変容易であり、しかもいずれの個々の植物が取り除き可能でありさらに新しい望まれた植物に置き換え可能である、垂直ガーデンシステムを提供することである。
【課題を解決するための手段】
【０００９】
本発明の一実施形態は、拡張性がある垂直ガーデンシステムを提供する。このシステムは、［ａ］フレームと、［ｂ］単数又は複数の点滴潅漑パイプと、［ｃ］単数又は複数の排水パイプと、［ｄ］ドレン・トレイと、オプションとして、［ｅ］複数のポット又は複数の植物コンテナとを備えている。
本発明の他の実施形態では、拡張性がある垂直ガーデンシステムにおいて、フレームは、［ａ］支持壁／フレームワーク内にねじ込まれるネジを挿入するための複数の孔と、［ｂ］複数のポットがスナップイン及びスナップアウト可能な空洞（２）と、［ｃ］良好な係留を得るためのポットのための各空洞内の複数の支持スナブ（３）と、［ｄ］水平方向潅漑パイプを保持するためのクリップがその中に固定可能であり、各空洞の上方の小さな複数の孔（４）と、［ｅ］ドレン・トレイ（７）を挿入するためのフレームの底の大きな孔（５）と、［ｆ］排水パイプ（６）が固定可能である、各フレームの後側の空洞とを有している。
【００１０】
本発明のさらに他の実施形態では、拡張性がある垂直ガーデンシステムにおいて、排水パイプ（６）は、接合コネクタ（８）を用いてドレン・トレイ（７）に接続されている。
本発明のさらに他の実施形態では、拡張性がある垂直ガーデンシステムにおいて、接合コネクタは「Ｔ」又は「Ｌ」形状の接合コネクタである。
【００１１】
本発明の他の実施形態では、拡張性がある垂直ガーデンシステムにおいて、ドレン・トレイ（７）は３個に１個のポットに固定されている。
本発明のさらに他の実施形態では、拡張性がある垂直ガーデンシステムにおいて、フレームは複数の側方垂直サポートを有しており、そこでは複数のクリップが固定され垂直潅漑パイプを支持することが可能である。
【００１２】
本発明のさらに他の実施形態では、拡張性がある垂直ガーデンシステムにおいて、フレームは、並んで及び／又は一つが他の頂部の上になるように互いに固定可能である。
本発明のさらに他の実施形態では、拡張性がある垂直ガーデンシステムは、さらに単数又は複数の点滴潅漑ライン（９）を有している。
【００１３】
本発明の他の実施形態では、拡張性がある垂直ガーデンシステムにおいて、各ポット又は植物コンテナは、ポットごとに水の供給を規制するための点滴潅漑ライン（９）を有している。
本発明のさらに他の実施形態では、拡張性がある垂直ガーデンシステムにおいて、潅漑ラインは自動及び／又は手動システムによって規制可能である。
【００１４】
本発明のさらに他の実施形態では、拡張性がある垂直ガーデンシステムにおいて、フレームは、［ａ］支持壁／フレームワーク内にねじ込まれるネジを挿入するための４つの孔（１）と、［ｂ］複数のポット又は植物コンテナがスナップイン及びスナップアウト可能な３つの大きな空洞（２）と、［ｃ］係留を得るために複数のポットのための各空洞内にある４つの支持スナブ（３）と、［ｄ］水平方向潅漑パイプを保持するためのクリップがその中に固定可能な２つの小さな孔（４）と、［ｅ］ドレン・トレイ（７）を挿入するための１つの大きな孔（５）と、を有している。
本発明の他の実施形態では、拡張性がある垂直ガーデンシステムは鉛直方向に及び／又は水平方向に拡張可能である。
【００１５】
本発明のさらに他の実施形態では、プランテーションの方法は、ここで記載された垂直ガーデンシステムを備えている。
【図面の簡単な説明】
【００１６】
本発明の垂直ガーデンシステムは、添付の例示的な図面を参照しながら、下記にて述べられる。しかし、ここで述べられたものと同じ構成上の特徴は、他のガーデンシステムにおけるマイナーな変更を伴って複製が可能であることは理解されなければいけない。
【図１】［ａ］複数のネジを挿入するための複数の孔（１）と、［ｂ］複数のポットをフィットするための空洞（２）と、［ｃ］複数の支持スナブ（３）と、［ｄ］各空洞の上方にあり水平方向潅漑パイプを保持及び固定するための複数の孔（４）と、［ｅ］大きな孔（５）とを有する垂直ガーデンシステムのフレームを示している。
【図２】排水設備（正面図）を有する垂直ガーデンシステム：前側のドレン・トレイ（７）に接合コネクタ（８）を用いて接続された排水パイプ（６）を示している、図１に記載された垂直ガーデンシステムのフレーム。図は、さらに水平方向の単数又は複数の点滴潅漑パイプ／ライン（９）を示している。
【図３】排水設備（側面図）を有する垂直ガーデンシステム。
【図４】（Ａ）は排水設備（側面図）付き垂直ガーデンシステムの拡大図であり、（Ｂ）はフレームに接続されたドレン・トレイ（７）の拡大図である。
【図５】（Ａ）は、複数のクリップに沿った複数の潅漑ラインと、排水パイプと、ポット又は植物コンテナ（空中画像）とを示している。（Ｂ）は、ドレン・トレイと、排出パイプと、接合コネクタとを示している。
【図６】（Ａ）は複数のポット／植物コンテナの図面であり、（Ｂ）はドレン・トレイの図面であり、（Ｃ）は点滴潅漑パイプを取り付け・保持するためのクリップの図面である。
【図７】緑の生物的壁を創り出すために壁に固定された垂直ガーデンシステムのフレームの図面である。
【図８】（Ａ）は壁へのビチューメンシートの固定を示す図であり、（Ｂ）防水表面への排水パイプの固定を示す図である。
【図９】（Ａ）は、クリップを単数又は複数の灌漑パイプに固定する前のフレームの固定を示す図である。（Ｂ）は、ドレン・トレイの垂直ガーデンシステムのフレームへの固定を示す図である。
【図１０】（Ａ）は複数のポットの垂直ガーデンシステムのフレームへの固定を示す図であり、（Ｂ）は複数の点滴潅漑パイプと、複数のポット／植物コンテナと、ドレン・トレイと、複数の排出パイプとを備えた完全な垂直ガーデンシステムを示す図である。
【発明を実施するための形態】
【００１７】
本発明は以下に述べられるが、ここで具体的に述べられた必須の発明コンセプトから離れることなく、バリエーション及び変更が可能である。ここで述べられる具体的な構成上の詳細は制限的ではなく、同様の機能のために用いられるいずれの他の垂直ガーデンシステムに本発明を採用することを当業者に教示することを意図している。
本発明のモジュラー垂直ガーデンシステムは、オープンスペース約４〜８インチの幅広のストリップを必要としており、そこでは本システムが固定及び設置可能である。垂直ガーデンシステムのフレームは、環境に優しい材料を用いて用意できる。材料の例は、ポリオレフィン、ポリプロピレン、ポリプロピレン共重合体、ポリ塩化ビニル、高密度ポリエチレン、リサイクルされたポリプロピレン又はそれらの他の均等物、好ましくはリサイクルされたポリプロピレンである。
【００１８】
本発明の垂直ガーデンシステムは、簡単な壁固定を促進するように設計されている。本発明の垂直ガーデンシステムは、（ａ）フレームと、（ｂ）単数又は複数の点滴潅漑パイプと、（ｃ）単数又は複数の排出パイプと、（ｄ）ドレン・トレイと、さらにオプションとして、（ｅ）複数のポット又は複数の植物コンテナとを備えている。
フレームは、［ａ］支持壁／フレームワーク内にねじ込まれるネジが挿入される複数の孔（１）と、［ｂ］ポットがスナップイン及びスナップアウト可能な空洞（２）と、［ｃ］良好な支えポットのための各空洞内の複数の支持スナブ（３）と、［ｄ］水平方向潅漑パイプを保持するためのクリップがその中に固定される各空洞の上方の複数の小さな孔（４）と、［ｅ］ドレン・トレイ（７）を挿入するためのフレームの底にある大きな孔（５）と、［ｆ］排水パイプ（６）が固定可能である各フレームの後側の空洞と、を有している。
【００１９】
垂直ガーデンシステムのフレームは、オプションとして、必要であればクリップが支持垂直潅漑パイプを固定可能である、フレームの複数の側方垂直サポートを有していてもよい。
好ましい実施形態（図１）では、フレームは、（ａ）支持壁／フレームワーク内にねじ込まれるネジを挿入するための４つの孔（１）と、（ｂ）複数のポット又は植物コンテナがスムーズにスナップイン及びスナップアウト可能な３つの大きな空洞と、（ｃ）良好な係留を得るためのポットのための各空洞内の４つの支持スナブ（３）と、（ｄ）水平方向潅漑パイプを保持するためのクリップがその中に固定可能な２つの小さな孔（４）と、（ｅ）ドレン・トレイ（７）をそこから挿入可能な１つの大きな孔（５）と、を有していてもよい。したがって、各３個のポット又は植物コンテナに対して、１つのドレン・トレイがある。
【００２０】
本発明のフレームは、重さ１０００ｇｍまでの成長する培地及び植物のポット又は植物コンテナを支持しており、各々は良好な支持及び係留を有しており、それにより簡単に飛び出したりしない。各フレームの後側には、排水パイプが固定可能な空洞があり、これにあって排出パイプは見えない。排水パイプ（６）は、接合コネクタ（８）（好ましくは、「Ｔ」又は「Ｌ」形状の接合コネクタ）を用いて、前側のドレン・トレイ（７）に接続される（図２及び図３）。
複数のフレームは、並んで互いに固定されさらに一方が他方の頂部の上に固定されることができ、垂直なガーデンになることを要する全体の壁を覆い尽くす。（図７及び１０（Ｂ））。
ここで開示された垂直ガーデンシステムは、プランテーションの方法に用いることができる。
【００２１】
排水システム：
本発明の垂直ガーデンシステムの特別な特徴の１つは、その排水システムである。本発明の垂直ガーデンシステムは、３個に１個のポットに固定されるドレン・トレイ（７）を有している。このようにして、水は止められて次に特定のインターバルごとに排出され、それによって水飽和を原因とする植物死亡がない。
排水設備（図４及び５）の作業は、以下を備えている。
（Ａ）各フレームの底には、そこからドレン・トレイが挿入可能な１つの大きな孔がある。したがって実施例では、ポットの特定の間隔ごとに１つのドレン・トレイがある。
（Ｂ）後側には、各フレームは、排水パイプ（６）が固定可能な空洞を有している。従って、排出パイプは見えない。排水パイプ（６）は、次に、接合コネクタ（８）（好ましくは、「Ｔ」連結器）を用いて、前側のドレン・トレイ（７）に固定されている。（Ｃ）連結器の一端は、ドレン・トレイ（７）の対応する複数のフレームに固定されており、他端はそれの後側の排出パイプに固定され、最後の端は次の排出パイプに連結されている。
【００２２】
潅漑システム：
本発明の垂直ガーデンシステムの他の特別な特徴は、潅漑システムである。本発明では、個々全てのポット又は植物コンテナは、対応するドリッパーを有しており、したがって植物の要求ごとにポット単位の水供給が規制されることができる。１ＬＰＨ／２ＬＰＨ／３ＬＰＦ／４ＬＰＨ又はそれ以上の能力があるドリッパーを、水平方向の潅漑ラインの上に固定できる。
各空洞の上方には、小さな孔（好ましくは２つ）が形成され、そこには水平方向潅漑パイプを保持するためのクリップが挿入固定可能である。フレームの追加の小さな側方垂直サポート（好ましくは６つ）があり、そこでは必要であればクリップが垂直潅漑パイプの支持に固定可能である（図６）。
【００２３】
潅漑システムは次に主水供給ラインに接続可能である。潅漑システムの作業は、クライエントからの要求／敷地条件に応じて自動又は手動システムを用いることで、規制可能である。
肥料タンク／ベンチュリ管も、自動肥料散布のために潅漑システムに固定可能である。
【００２４】
垂直ガーデンシステムの設置：
垂直ガーデンシステムは、いずれの滑らかな壁（図８及び９）に設置可能である。もしも実施例において独立して立っているフレームワークがあるならば、金属フレームワーク、ＭＲグレードの合板又は他の均等の材料が、なめらかな表面を得るために固定可能である。壁の滑らかな表面には、合板、又は他の材料、ビチューメンシート（例えば、産業用ビチューメン、舗装用ビチューメン、ＣＲＭＢ（ＣＲＭＢ）、ポリマー改質アスファルト（ＰＭＢ）、ビチューメン乳剤又はヘッシャンフェルトの様な材料、接合柱板材、プライマーなどが、壁の防水性のために固定される。複数の排水パイプは、複数の接着テープを用いて固定される。垂直ガーデンシステムのフレームは、これらの上方に固定される。
【００２５】
実施例：
壁／合板の滑らかな表面には、ビチューメンシートがその表面の防水性のために固定される。複数の排水パイプは、接着テープによって固定される。垂直ガーデンシステムのフレームは、それらの上方に固定される。ドリッパー（各ドリッパーは各ポット専用である）が後に続く１６ｍｍのドリップ水平部材は、これらフレームの上に固定されている。これらのドリップライン及びドレインラインは、複数の主なラインに接続される。この後、植栽された複数のポットは複数のフレームに設置される。
【００２６】
本発明の有利な点：
１．あなたの敷地において利用可能な光の条件にしたがって、植物、ハーブ、花、フルーツ、薬用植物及び野菜の広い範囲から選択した本発明の垂直ガーデニングシステムを用いて、最も魅惑的なパターンを創り出すことができる。
２．それのモジュラー設計のおかげで、垂直ガーデンシステムフレームが鉛直方向及び水平方向の両方に延ばすことで、いかなる設計も可能になる。空間及び想像力が許す限り、円筒状のタワー、孤立して立っている正方形の支柱又は長方形を創り出すことが可能である。
【００２７】
３．複数のポットは、容易に垂直ガーデンシステムのフレームにスナップイン及びスナップアウト可能であり、これにより設置が便利になりしかも必要なときに変更が可能になる。
４．複数の排出パイプはいったんシステムが十分に設置されれば見えなくなり、したがってシステムは美的に有利である。
【００２８】
５．汚染を止めること：水性汚染は通常は、１つのポットから他のポットに広がることで、１つのポットから他のポットに広がる。本発明の垂直ガーデンシステムでは、複数のドレン・トレイは規則的な間隔で置かれており、したがってこの種の植物汚染の機会を減らす。
６．灌漑：本発明の垂直ガーデンシステムは、ドリップラインを個々全ての植物ポットを潅漑するために固定することをもたらす。
【００２９】
７．複数のドレン・トレイは、特定の間隔で配置されている。これら複数のトレイはユニークな形状であり、底が傾いていることで、上方の複数のポットからドリップしてきた全ての水を排出する。このようにして、過度な水やり及び飽和による植物死亡は最小限になっている。
８．複数のポット：異なる植物の種用の異なるサイズ。水要求をモニターすることができない他の緑の壁モジュラーシステムとは異なり、独立したプランターは、様々な種類の植物を成長させることができる。本発明によって、個々のポット／植物コンテナを交換することが容易になる。植栽パターンを変更することは容易である。植物ポットは、養殖場で用意されて敷地に設置可能である。
【図１】
2016518120.tif 000003
【図２】
2016518120.tif 000004
【図３】
2016518120.tif 000005
【図４Ａ】
2016518120.tif 000006
【図４Ｂ】
2016518120.tif 000007
【図５Ａ】
2016518120.tif 000008
【図５Ｂ】
2016518120.tif 000009
【図６Ａ】
2016518120.tif 000010
【図６Ｂ】
2016518120.tif 000011
【図６Ｃ】
2016518120.tif 000012
【図７】
2016518120.tif 000013
【図８Ａ】
2016518120.tif 000014
【図８Ｂ】
2016518120.tif 000015
【図９Ａ】
2016518120.tif 000016
【図９Ｂ】
2016518120.tif 000017
【図１０Ａ】
2016518120.tif 000018
【図１０Ｂ】
2016518120.tif 000019
【国際調査報告】
2016518120.tif 000020
2016518120.tif 000021
2016518120.tif 000022
2016518120.tif 000023